(57)【要約】【課題】ドライバＩＣ側のスイッチを小さく抑えつつ、ＧＮＤ電位への電位変動の収束性を改善する表示装置を提供する。【解決手段】表示装置は、表示用およびタッチ検出用の複数の駆動電極ＣＯＭＬ１〜ＣＯＭＬｎと、複数の駆動電極ＣＯＭＬ１〜ＣＯＭＬｎのそれぞれに駆動信号を印加する駆動電極ドライバ１５と、駆動電極ドライバ１５が駆動信号を印加する複数の駆動電極ＣＯＭＬ１〜ＣＯＭＬｎのそれぞれを選択する駆動信号セレクタ部１６Ｕおよび駆動信号セレクタ部１６Ｌと、を備え、複数の駆動電極ＣＯＭＬ１〜ＣＯＭＬｎが形成された基板には、タッチ検出期間において、駆動信号セレクタ部１６Ｕにより選択された駆動電極が接続される接地配線ＧＮＤが形成されている。【選択図】図８
2016197400.tif 000002
【特許請求の範囲】
【請求項１】
表示用およびタッチ検出用の複数の駆動電極と、
前記複数の駆動電極のそれぞれに駆動信号を印加する駆動電極ドライバと、
前記駆動電極ドライバが前記駆動信号を印加する前記複数の駆動電極のそれぞれを選択する駆動信号セレクタ部と、
を備え、
前記複数の駆動電極が形成された基板には、タッチ検出期間において、前記駆動信号セレクタ部により選択された駆動電極が接続される接地配線が形成されている、表示装置。
【請求項２】
表示用およびタッチ検出用の複数の駆動電極と、
前記複数の駆動電極のそれぞれに駆動信号を印加する駆動電極ドライバと、
前記駆動電極ドライバが前記駆動信号を印加する前記複数の駆動電極のそれぞれを選択する第１駆動信号セレクタ部および第２駆動信号セレクタ部と、
を備え、
タッチ検出期間と表示期間とが交互に行われ、前記タッチ検出期間では前記駆動電極ドライバから前記駆動電極にタッチ検出用の駆動信号が供給され、前記表示期間では前記駆動電極ドライバから前記駆動電極に表示用の駆動信号が供給され、前記複数の駆動電極が形成された基板には、前記タッチ検出期間において、前記第１駆動信号セレクタ部により選択された駆動電極が接続される接地配線が形成されている、表示装置。
【請求項３】
請求項２に記載の表示装置において、
前記タッチ検出期間において、
前記第１駆動信号セレクタ部により選択された駆動電極は、前記基板上の接地配線に接続され、
前記第２駆動信号セレクタ部により選択された駆動電極は、前記駆動電極ドライバ内の接地電位に接続される、表示装置。
【請求項４】
請求項３に記載の表示装置において、
前記タッチ検出期間において、
前記第１駆動信号セレクタ部により選択されない駆動電極は、前記基板上の駆動信号配線に接続され、
前記第２駆動信号セレクタ部により選択されない駆動電極は、ハイインピーダンス状態とされる、表示装置。
【請求項５】
請求項４に記載の表示装置において、
前記表示期間において、
前記第１駆動信号セレクタ部により選択された駆動電極、および選択されない駆動電極は、前記基板上の駆動信号配線に接続され、
前記第２駆動信号セレクタ部により選択された駆動電極、および選択されない駆動電極は、前記基板上の駆動切替配線に接続される、表示装置。
【請求項６】
請求項２に記載の表示装置において、
前記第１駆動信号セレクタ部および前記第２駆動信号セレクタ部のそれぞれは、前記複数の駆動電極のそれぞれに対応する複数のシフトレジスタおよび複数のスイッチを含み、
前記複数のシフトレジスタのそれぞれは、前記駆動電極ドライバからの制御信号により、前記複数の駆動電極のうちの選択される駆動電極に対応するスイッチを切り替えるようにシフト制御される、表示装置。
【請求項７】
請求項６に記載の表示装置において、
前記タッチ検出期間において、
前記第１駆動信号セレクタ部により選択された駆動電極に対応するスイッチは、このスイッチに対応するシフトレジスタからの信号によりオンとなり、この選択された駆動電極が前記基板上の接地配線に接続され、
前記第２駆動信号セレクタ部により選択された駆動電極に対応するスイッチは、このスイッチに対応するシフトレジスタからの信号によりオフとなり、この選択された駆動電極が前記駆動電極ドライバ内の接地電位に接続される、表示装置。
【請求項８】
請求項７に記載の表示装置において、
前記タッチ検出期間において、
前記第１駆動信号セレクタ部により選択されない駆動電極に対応するスイッチは、このスイッチに対応するシフトレジスタからの信号によりオフとなり、この選択されない駆動電極が前記基板上の駆動信号配線に接続され、
前記第２駆動信号セレクタ部により選択されない駆動電極に対応するスイッチは、このスイッチに対応するシフトレジスタからの信号によりオンとなり、この選択されない駆動電極がハイインピーダンス状態とされる、表示装置。
【請求項９】
請求項８に記載の表示装置において、
前記表示期間において、
前記第１駆動信号セレクタ部により選択された駆動電極、および選択されない駆動電極に対応するスイッチは、このスイッチに対応するシフトレジスタからの信号によりオフとなり、これらの選択された駆動電極および選択されない駆動電極が前記基板上の駆動信号配線に接続され、
前記第２駆動信号セレクタ部により選択された駆動電極、および選択されない駆動電極に対応するスイッチは、このスイッチに対応するシフトレジスタからの信号によりオフとなり、これらの選択された駆動電極および選択されない駆動電極が前記基板上の駆動切替配線に接続される、表示装置。
【請求項１０】
請求項９に記載の表示装置において、
前記タッチ検出期間は、前記第１駆動信号セレクタ部および前記第２駆動信号セレクタ部の前記複数のシフトレジスタのそれぞれがシフトするシフト期間を含み、
前記シフト期間において、
前記第１駆動信号セレクタ部により選択された駆動電極、および選択されない駆動電極に対応するスイッチは、このスイッチに対応するシフトレジスタからの信号によりオフとなり、これらの選択された駆動電極および選択されない駆動電極が前記基板上の駆動信号配線に接続され、
前記第２駆動信号セレクタ部により選択された駆動電極、および選択されない駆動電極に対応するスイッチは、このスイッチに対応するシフトレジスタからの信号によりオフとなり、これらの選択された駆動電極および選択されない駆動電極が前記基板上の駆動切替配線に接続される、表示装置。
【請求項１１】
請求項６に記載の表示装置において、
前記駆動電極ドライバからの制御信号は、動作を開始するためのスタートパルス信号と、動作を同期させるためのクロック信号と、表示動作とタッチ検出動作とを切り替えるためのスイッチ切替信号とを含む、表示装置。
【請求項１２】
請求項２に記載の表示装置において、
前記複数の駆動電極と容量結合する複数のタッチ検出電極と、
前記基板上に配置された複数の画素電極と、
前記複数の画素電極に画素信号を供給する複数の画素信号線と、
前記複数の画素電極を選択する走査信号を供給する複数の走査信号線と、
前記画素信号に基づいて画像表示機能を発揮する表示機能層と、
前記複数の画素電極に前記走査信号を印加するゲートドライバと、
前記複数の画素電極に前記画素信号を印加するソースドライバと、
前記ソースドライバが前記画素信号を印加する前記画素信号線を選択するソースセレクタ部と、
をさらに備える、表示装置。
【請求項１３】
請求項１２に記載の表示装置において、
前記複数の駆動電極は、前記基板の第１方向に延在して形成され、
前記複数のタッチ検出電極は、前記第１方向と交差する第２方向に延在して形成され、
前記複数の画素信号線は、前記第１方向に延在して形成され、
前記複数の走査信号線は、前記第２方向に延在して形成されている、表示装置。
【請求項１４】
請求項１３に記載の表示装置において、
前記複数の駆動電極と、前記第１駆動信号セレクタ部および前記第２駆動信号セレクタ部とは、前記基板上に形成され、
前記第１駆動信号セレクタ部は、平面視において、前記複数の駆動電極の延在方向の一端部に対向して設けられ、前記第２駆動信号セレクタ部は、前記複数の駆動電極の延在方向の他端部に対向して設けられている、表示装置。
【請求項１５】
請求項１４に記載の表示装置において、
前記第２駆動信号セレクタ部は、前記駆動電極の他方端部と前記駆動電極ドライバとの間に配置されている、表示装置。
【請求項１６】
表示用およびタッチ検出用の複数の駆動電極と、
前記複数の駆動電極のそれぞれに駆動信号を印加する駆動電極ドライバと、
前記駆動電極ドライバが前記駆動信号を印加する前記複数の駆動電極のそれぞれを選択する第１駆動信号セレクタ部および第２駆動信号セレクタ部と、
を備え、
前記第１駆動信号セレクタ部および前記第２駆動信号セレクタ部のそれぞれには、タッチ検出用の駆動信号を形成するタッチ検出用のスイッチ回路が設けられており、
タッチ検出期間と表示期間とが交互に行われ、前記タッチ検出期間では前記タッチ検出用のスイッチ回路から前記駆動電極にタッチ検出用の駆動信号が供給され、前記表示期間では前記駆動電極ドライバから前記駆動電極に表示用の駆動信号が供給され、
前記複数の駆動電極が形成された基板には、前記タッチ検出期間において、前記第１駆動信号セレクタ部により選択された駆動電極が接続される接地配線が形成されている、表示装置。
【請求項１７】
請求項１６に記載の表示装置において、
前記第１駆動信号セレクタ部は、
前記接地配線と前記タッチ検出用のスイッチ回路とをオン／オフする第１接続線スイッチ回路と、
少なくとも前記接地配線よりも高電位に設定された高電位配線と、
を含み、
前記タッチ検出用のスイッチ回路は、
前記第１接続線スイッチ回路と前記駆動電極との接続及び前記高電位配線と前記駆動電極との接続を切り替えるものである、表示装置。
【請求項１８】
請求項１７に記載の表示装置において、
前記第１駆動信号セレクタ部は、前記複数の駆動電極のそれぞれに対応する複数のシフトレジスタを含み、
前記複数のシフトレジスタのそれぞれは、前記駆動電極ドライバからの制御信号により、前記複数の駆動電極のうちの選択される駆動電極に対応する前記第１接続線スイッチ回路及び前記タッチ検出用のスイッチ回路を切り替えるようにシフト制御される、表示装置。
【請求項１９】
請求項１６に記載の表示装置において、
前記第２駆動信号セレクタ部は、
前記駆動電極ドライバ内の接地電位との接続状態をオン／オフする第２接続線スイッチ回路と、
少なくとも前記接地電位よりも高電位に設定された高電位配線と、
を備え、
前記タッチ検出用のスイッチ回路は、
前記第２接続線スイッチ回路と前記駆動電極との接続及び前記高電位配線と前記駆動電極との接続を切り替えるものである、表示装置。
【請求項２０】
請求項１９に記載の表示装置において、
前記第２駆動信号セレクタ部は、前記複数の駆動電極のそれぞれに対応する複数のシフトレジスタを含み、
前記複数のシフトレジスタのそれぞれは、前記駆動電極ドライバからの制御信号により、前記複数の駆動電極のうちの選択される駆動電極に対応する前記第２接続線スイッチ回路及び前記タッチ検出用のスイッチ回路を切り替えるようにシフト制御される、表示装置。
【発明の詳細な説明】
【技術分野】
【０００１】
本発明は、表示装置に係り、特に外部近接物体を検出可能なタッチ検出機能付き表示装置に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化されるタッチ検出機能付き表示装置に用いられている。このタッチ検出機能付き表示装置は、表示装置に各種のボタン画像等を表示させることにより、タッチパネルを通常の機械式ボタンの代わりとして情報入力を可能としている。このようなタッチパネルを有するタッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などのいくつかの方式が存在する。このなかで、静電容量式のタッチ検出装置は、比較的単純な構造を有し、かつ低消費電力が実現できることから、携帯情報端末などに用いられている。例えば、特許文献１および特許文献２には、静電容量式のタッチパネルが記載されている。
【先行技術文献】
【特許文献】
【０００４】
【特許文献１】特開２０１４−１３４９００号公報
【特許文献２】特開２０１２−０４７８０７号公報
【発明の概要】
【発明が解決しようとする課題】
【０００５】
上述したタッチ検出機能付き表示装置では、タッチ検出機能を内蔵する際、例えば、表示用の駆動電極と、タッチ検出用の駆動電極とを兼用することが知られている。このような場合に、タッチ検出回路と表示回路とは、駆動電極に駆動信号（Ｖｃｏｍ電位）を供給する駆動信号配線を共用しており、タッチ検出期間に該当検出領域をドライバＩＣのＶｃｏｍ電位と分離することで両回路の動作を行っている。
【０００６】
駆動電極に供給する駆動信号は、表示期間中は画素ゲート回路のフィードスルーの存在のため、ＧＮＤ電位からオフセットを持った電位とする必要がある。一方、タッチ検出期間中はドライバＩＣの内部電源ノイズを無くすためにＧＮＤ電位を出力するのが望ましい。
【０００７】
通常、検出領域を切り離す回路はパネル内部に配置されるが、パネル内部に回路を配置するための面積が必要となる。特に、検出領域を縦に分割するような場合ではドライバＩＣ部品とタッチ検出回路とが集中するため、他辺に比べてより多くの面積が必要となる。そのため、このような場合では、ドライバＩＣ実装面のタッチ検出時に選択される配線自体をＶｃｏｍ電位／ＧＮＤ電位に切り替えることで、ドライバＩＣ実装面側の額縁増加の抑制を図っている。
【０００８】
上述のような構成は、パネルの額縁増加を抑えるには有効であったが、タッチ検出時に駆動信号をＧＮＤ電位に切り替える際、全電流がドライバＩＣ内部のスイッチへ流れることから、ドライバＩＣ上のスイッチを大きくしてスイッチ抵抗を十分に小さくしないと、ＧＮＤ電位への電位変動の収束性が悪いという課題があった。上述した特許文献１および特許文献２では、ＧＮＤ電位への電位変動の収束性については考慮されていない。
【０００９】
本発明の目的は、ドライバＩＣ側のスイッチを小さく抑えつつ、ＧＮＤ電位への電位変動の収束性を改善する表示装置を提供することにある。
【課題を解決するための手段】
【００１０】
本発明の一態様に係わる表示装置は、表示用およびタッチ検出用の複数の駆動電極と、前記複数の駆動電極のそれぞれに駆動信号を印加する駆動電極ドライバと、前記駆動電極ドライバが前記駆動信号を印加する前記複数の駆動電極のそれぞれを選択する駆動信号セレクタ部と、を備え、前記複数の駆動電極が形成された基板には、タッチ検出期間において、前記駆動信号セレクタ部により選択された駆動電極が接続される接地配線が形成されているものである。
【００１１】
また、他の一態様として、表示装置は、表示用およびタッチ検出用の複数の駆動電極と、前記複数の駆動電極のそれぞれに駆動信号を印加する駆動電極ドライバと、前記駆動電極ドライバが前記駆動信号を印加する前記複数の駆動電極のそれぞれを選択する第１駆動信号セレクタ部および第２駆動信号セレクタ部と、を備え、タッチ検出期間と表示期間とが交互に行われ、前記タッチ検出期間では前記駆動電極ドライバから前記駆動電極にタッチ検出用の駆動信号が供給され、前記表示期間では前記駆動電極ドライバから前記駆動電極に表示用の駆動信号が供給され、前記複数の駆動電極が形成された基板には、前記タッチ検出期間において、前記第１駆動信号セレクタ部により選択された駆動電極が接続される接地配線が形成されていてもよい。
【００１２】
また、他の一態様として、前記タッチ検出期間において、前記第１駆動信号セレクタ部により選択された駆動電極は、前記基板上の接地配線に接続され、前記第２駆動信号セレクタ部により選択された駆動電極は、前記駆動電極ドライバ内の接地電位に接続されるようにしてもよい。
【００１３】
また、他の一態様として、前記タッチ検出期間において、前記第１駆動信号セレクタ部により選択されない駆動電極は、前記基板上の駆動信号配線に接続され、前記第２駆動信号セレクタ部により選択されない駆動電極は、ハイインピーダンス状態とされるようにしてもよい。
【図面の簡単な説明】
【００１４】
【図１】第１の実施の形態に係わるタッチ検出機能付き表示装置の概略構成の一例を示すブロック図である。
【図２】第１の実施の形態に係わるタッチ検出機能付き表示装置を実装したモジュールの一例を示す図である。
【図３】第１の実施の形態に係わるタッチ検出機能付き表示デバイスの概略断面構造の一例を示す断面図である。
【図４】第１の実施の形態に係わる液晶表示デバイスの画素配列の一例を示す回路図である。
【図５】第１の実施の形態に係わるタッチ検出機能付き表示装置を実装したモジュールにおいて、駆動電極と画素信号線と画素電極との関係を説明するための説明図である。
【図６】第１の実施の形態に係わるタッチ検出デバイスの駆動電極およびタッチ検出電極の構成の一例を示す斜視図である。
【図７】第１の実施の形態に係わる駆動電極ドライバの動作の一例を説明するための説明図である。
【図８】第１の実施の形態に係わる駆動電極およびその駆動回路の構成の一例を示す説明図である。
【図９】第１の実施の形態に対する比較例に係わる駆動電極およびその駆動回路の構成の一例を示す説明図である。
【図１０】第１の実施の形態に係わる駆動電極の駆動回路の動作（表示期間）の一例を示す説明図である。
【図１１】第１の実施の形態に係わる駆動電極の駆動回路の動作（タッチ検出期間（状態（１）））の一例を示す説明図である。
【図１２】第１の実施の形態に係わる駆動電極の駆動回路の動作（タッチ検出期間（状態（２）））の一例を示す説明図である。
【図１３】第１の実施の形態に係わる駆動電極の駆動回路の動作の一例を示すタイミングチャートである。
【図１４】図１３に続く、駆動電極の駆動回路の動作の一例を示すタイミングチャートである。
【図１５】（ａ）（ｂ）（ｃ）は第１の実施の形態と比較例とのＧＮＤ電位への電位変動の収束性の相違を示す説明図である。
【図１６】第２の実施の形態に係わる駆動電極およびその駆動回路の構成の一例を示す説明図である。
【図１７】第２の実施の形態に係わる駆動電極の駆動回路の動作（タッチ検出期間（状態（２）））の一例を示すタイミングチャートである。
【発明を実施するための形態】
【００１５】
以下、本発明の各実施の形態について、図面を参照にしつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１６】
また、本明細書と各図において、既出の図に関して前述したものと同様の要素には、同一の符号を付して、詳細な説明を適宜省略することがある。
【００１７】
（第１の実施の形態）
本実施の形態に係わるタッチ検出機能付き表示装置について、図１〜図１５を用いて説明する。
【００１８】
＜タッチ検出機能付き表示装置＞
まず、本実施の形態に係わるタッチ検出機能付き表示装置の構成を、図１を用いて説明する。図１は、本実施の形態に係わるタッチ検出機能付き表示装置の概略構成の一例を示すブロック図である。
【００１９】
タッチ検出機能付き表示装置１は、タッチ検出機能付き表示デバイス１０と、制御部１１と、ゲートドライバ１２と、ソースドライバ１３と、ソースセレクタ部１４と、駆動電極ドライバ１５と、駆動信号セレクタ部１６と、タッチ検出部４０とを備えている。このタッチ検出機能付き表示装置１は、タッチ検出機能付き表示デバイス１０がタッチ検出機能を内蔵した表示デバイスである。
【００２０】
タッチ検出機能付き表示デバイス１０は、表示素子として液晶表示素子を用いている液晶表示デバイス２０と静電容量型のタッチ検出デバイス３０とを一体化した、いわゆるインセルタイプの装置である。なお、タッチ検出機能付き表示デバイス１０は、表示素子として液晶表示素子を用いている液晶表示デバイス２０の上に、静電容量型のタッチ検出デバイス３０を装着した、いわゆるオンセルタイプの装置であってもよい。
【００２１】
液晶表示デバイス２０は、ゲートドライバ１２から供給される走査信号Ｖｓｃａｎに従って、１水平ラインずつ順次走査して表示を行うデバイスである。
【００２２】
制御部１１は、外部より供給された映像信号Ｖｄｉｓｐに基づいて、ゲートドライバ１２、ソースドライバ１３、駆動電極ドライバ１５、およびタッチ検出部４０に対してそれぞれ制御信号を供給し、これらが互いに同期して動作するように制御する回路である。
【００２３】
ゲートドライバ１２は、制御部１１から供給される制御信号に基づいて、タッチ検出機能付き表示デバイス１０の表示駆動の対象となる１水平ラインを順次選択する機能を有している。
【００２４】
ソースドライバ１３は、制御部１１から供給される制御信号に基づいて、タッチ検出機能付き表示デバイス１０の、後述（図４）する各画素Ｐｉｘ（副画素ＳＰｉｘ）に画素信号Ｖｐｉｘを供給する回路である。ソースドライバ１３は、１水平ライン分の映像信号から、液晶表示デバイス２０の複数の副画素ＳＰｉｘの画素信号Ｖｐｉｘを時分割多重化した画素信号を生成し、ソースセレクタ部１４に供給する。
【００２５】
また、ソースドライバ１３は、画像信号Ｖｓｉｇに多重化された画素信号Ｖｐｉｘを分離するために必要なスイッチ制御信号ＳＬＳを生成し、画素信号Ｖｐｉｘとともにソースセレクタ部１４に供給する。ソースセレクタ部１４は、後述（図３）するカラーフィルタ３２の各色に対応する副画素ＳＰｉｘ毎に、順次書き込みを行うように、画素信号Ｖｐｉｘを供給するマルチプレクサ駆動を行う。
【００２６】
駆動電極ドライバ１５は、制御部１１から供給される制御信号に基づいて、タッチ検出機能付き表示デバイス１０の、後述（図２）する駆動電極ＣＯＭＬに駆動信号Ｖｃｏｍを供給する回路である。駆動信号セレクタ部１６は、駆動電極ドライバ１５が生成するスイッチ制御信号ＳＩ０に応じて、駆動信号Ｖｃｏｍを供給する駆動電極ＣＯＭＬを選択する。
【００２７】
タッチ検出デバイス３０は、静電容量型タッチ検出の原理に基づいて動作し、タッチ検出信号Ｖｄｅｔを出力するデバイスである。
【００２８】
タッチ検出デバイス３０は、駆動信号セレクタ部１６を介して駆動電極ドライバ１５から供給される駆動信号Ｖｃｏｍをタッチ検出用の駆動信号Ｖｃｏｍ（以下、タッチ駆動信号Ｖｃｏｍともいう）として駆動電極ＣＯＭＬに供給し、タッチ駆動信号Ｖｃｏｍに従って、１検出ブロックずつ順次走査してタッチ検出を行うようになっている。
【００２９】
タッチ検出デバイス３０は、後述（図６）する複数のタッチ検出電極ＴＤＬから、検出ブロックごとにタッチ検出信号Ｖｄｅｔを出力し、タッチ検出部４０に供給するようになっている。
【００３０】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（接触状態）の有無を検出し、タッチがある場合においてタッチ検出領域におけるその座標などを求める回路である。このタッチ検出部４０は、アナログＬＰＦ（Low Pass Filter）部４２と、Ａ／Ｄ（Analog to Digital）変換部４３と、信号処理部４４と、座標抽出部４５と、検出タイミング制御部４６とを備えている。
【００３１】
アナログＬＰＦ部４２は、タッチ検出デバイス３０から供給されたタッチ検出信号Ｖｄｅｔを入力とし、タッチ検出信号Ｖｄｅｔに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。
【００３２】
Ａ／Ｄ変換部４３は、駆動信号Ｖｃｏｍに同期したタイミングで、アナログＬＰＦ部４２から出力されるアナログ信号をそれぞれサンプリングしてデジタル信号に変換する回路である。
【００３３】
信号処理部４４は、Ａ／Ｄ変換部４３の出力信号に含まれる、タッチ駆動信号Ｖｃｏｍをサンプリングした周波数よりも高い周波数成分（ノイズ成分）を除去し、タッチ成分を取り出すデジタルフィルタを備えている。信号処理部４４は、Ａ／Ｄ変換部４３の出力信号に基づいて、タッチ検出デバイス３０に対するタッチの有無を検出する論理回路である。
【００３４】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３５】
＜モジュール＞
図２は、本実施の形態に係わるタッチ検出機能付き表示装置を実装したモジュールの一例を示す図である。
【００３６】
図２に示すように、タッチ検出機能付き表示装置１は、液晶表示デバイス２０と、ゲートドライバ１２（１２Ｌ、１２Ｒ）と、駆動信号セレクタ部１６（１６Ｕ、１６Ｌ）と、ＣＯＧ（Chip On Glass）１９とを含む。ＣＯＧ１９は、図１に示した制御部１１、ソースドライバ１３、ソースセレクタ部１４、および駆動電極ドライバ１５を含む。
【００３７】
ゲートドライバ１２Ｌ、１２Ｒおよび駆動信号セレクタ部１６Ｕ、１６Ｌは、ガラス基板であるＴＦＴ基板２１に形成されている。ゲートドライバ１２Ｌ、１２Ｒは、液晶表示デバイス２０を挟んで、平面視で左右（ＴＦＴ基板２１の長辺側）に形成されている。ゲートドライバ１２Ｌは左側に形成され、ゲートドライバ１２Ｒは右側に形成されている。駆動信号セレクタ部１６Ｕ、１６Ｌは、液晶表示デバイス２０を挟んで、平面視で上下（ＴＦＴ基板２１の短辺側）に形成されている。駆動信号セレクタ部１６Ｕは上側に形成され、駆動信号セレクタ部１６Ｌは下側に形成されている。
【００３８】
ＣＯＧ１９は、ＴＦＴ基板２１に実装されたチップであり、図１に示した制御部１１、ソースドライバ１３など、表示動作に必要な各回路を内蔵したものである。ＣＯＧ１９は、ドライバＩＣ（Integrated Circuit）と呼ぶこともある。また、ＣＯＧ１９が実装されるＴＦＴ基板２１の部分をパネルと呼ぶこともある。なお、タッチ検出機能付き表示装置１は、ＣＯＧ１９にゲートドライバ１２などの回路を内蔵してもよい。
【００３９】
ＴＦＴ基板２１には、ＣＯＧ１９内の駆動電極ドライバ１５と、駆動信号セレクタ部１６Ｕ、１６Ｌとの間において、スイッチ制御信号ＳＩ０の配線が形成されている。さらに、駆動電極ドライバ１５と駆動信号セレクタ部１６Ｕとの間には駆動信号配線ＶＣＯＭが形成され、駆動電極ドライバ１５と駆動信号セレクタ部１６Ｌとの間には駆動切替配線ＶＣＯＭ／ＧＮＤが形成されている。また、ＴＦＴ基板２１には、駆動信号セレクタ部１６Ｕに接続される接地配線ＧＮＤが形成されている。
【００４０】
このタッチ検出機能付き表示装置１の液晶表示デバイス２０は、ＴＦＴ基板２１の表面に対する垂直方向（平面視）において、駆動電極ＣＯＭＬと、駆動電極ＣＯＭＬと立体交差するように形成された走査信号線ＧＣＬとを模式的に示している。また、液晶表示デバイス２０は、ＴＦＴ基板２１の表面に対する垂直方向において、駆動電極ＣＯＭＬと、駆動電極ＣＯＭＬと交差せず平行な方向に延びるように形成された画素信号線ＳＧＬとを模式的に示している。
【００４１】
駆動電極ＣＯＭＬは、液晶表示デバイス２０の長辺方向（縦方向）に延在して短辺方向（横方向）に並列して形成されており、後述（図６）するタッチ検出電極ＴＤＬは、タッチ検出機能付き表示デバイス１０の短辺方向に延在して長辺方向に並列して形成されている。タッチ検出電極ＴＤＬの出力は、液晶表示デバイス２０の短辺側に設けられ、フレキシブル基板などにより構成された端子部Ｔを介して、このモジュールの外部に実装されたタッチ検出部４０（図１参照）と接続されている。
【００４２】
＜タッチ検出機能付き表示デバイス＞
次に、上述したタッチ検出機能付き表示デバイス１０の構成例を詳細に説明する。図３は、本実施の形態に係わるタッチ検出機能付き表示デバイス１０の概略断面構造の一例を示す断面図である。図４は、本実施の形態に係わる液晶表示デバイス２０の画素配列の一例を示す回路図である。
【００４３】
図３に示すように、タッチ検出機能付き表示デバイス１０は、画素基板２と、この画素基板２の表面に垂直な方向に対向して配置された対向基板３と、画素基板２と対向基板３との間に挿設された液晶層６とを備えている。
【００４４】
液晶層６は、複数の液晶分子を備えて構成されており、電界の状態に応じてそこを通過する光を変調させる。なお、図３に示す液晶層６と画素基板２との間、および液晶層６と対向基板３との間には、それぞれ配向膜が配設されてもよい。
【００４５】
対向基板３は、ガラス基板３１と、このガラス基板３１の一方の面（液晶層６側）に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５Ａが配設されている。
【００４６】
画素基板２は、回路基板としてのＴＦＴ基板２１と、このＴＦＴ基板２１上（液晶層６側）にマトリックス状に配設された複数の画素電極２２と、ＴＦＴ基板２１と画素電極２２との間に形成された複数の駆動電極ＣＯＭＬと、画素電極２２と駆動電極ＣＯＭＬとを絶縁する絶縁層２４と、ＴＦＴ基板２１の下面側に配設された入射側偏光板３５Ｂとを含む。
【００４７】
本実施の形態では、画素電極２２と駆動電極ＣＯＭＬとの間にフリンジ電界を発生させ、それによって液晶分子を回転させるＦＦＳ（Fringe Field Switching）モードが採用されているが、ＩＰＳ（In-Plane Switching）モード等の他の横電界モードを採用することも可能である。
【００４８】
画素電極２２および駆動電極ＣＯＭＬは、例えばＩＴＯ（Indium Tin Oxide）等の透過性の導電膜で形成されている。
【００４９】
ＴＦＴ基板２１には、図４に示す各副画素ＳＰｉｘの薄膜トランジスタ（ＴＦＴ；Thin Film Transistor）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。図４に示す液晶表示デバイス２０は、マトリックス状に配列した複数の副画素ＳＰｉｘを有している。副画素ＳＰｉｘは、ＴＦＴ素子Ｔｒ、液晶素子ＬＣおよび保持容量Ｃを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。液晶素子ＬＣは、画素信号Ｖｐｉｘに基づいて画像表示機能を発揮する表示機能層である。保持容量Ｃは、一端がＴＦＴ素子Ｔｒのドレインに接続され、他端が駆動電極ＣＯＭＬに接続されている。
【００５０】
副画素ＳＰｉｘは、走査信号線ＧＣＬにより、液晶表示デバイス２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示デバイス２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ列に属する他の副画素ＳＰｉｘと互いに接続されている。駆動電極ＣＯＭＬは、駆動電極ドライバ１５と接続され、駆動電極ドライバ１５より駆動信号Ｖｃｏｍが供給される。つまり、この例では、同じ一列に属する複数の副画素ＳＰｉｘが一本の駆動電極ＣＯＭＬを共有するようになっている。
【００５１】
図１に示すゲートドライバ１２は、走査信号Ｖｓｃａｎを、図４に示す走査信号線ＧＣＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１に示すソースドライバ１３は、画素信号Ｖｐｉｘを、図４に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１５は、駆動信号Ｖｃｏｍを印加し、図３および図４に示す駆動電極ＣＯＭＬを駆動する。
【００５２】
上述したように、液晶表示デバイス２０は、ゲートドライバ１２が走査信号線ＧＣＬを時分割的に線順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１５は、その１水平ラインに対応する駆動電極ＣＯＭＬに対して、表示用の駆動信号Ｖｃｏｍを印加するようになっている。このように、駆動電極ＣＯＭＬは、液晶表示デバイス２０の共通駆動電極（コモン電極）として機能するとともに、タッチ検出デバイス３０の駆動電極としても機能する。以下の説明では、表示駆動信号としての駆動信号Ｖｃｏｍを表示駆動信号Ｖｃｏｍとも記載し、タッチ駆動信号としての駆動信号Ｖｃｏｍをタッチ駆動信号Ｖｃｏｍとも記載する。
【００５３】
図３に示すカラーフィルタ３２は、例えば赤（Ｒ）、緑（Ｇ）、青（Ｂ）の３色に着色されたカラーフィルタの色領域を周期的に配列して、上述した図４に示す各副画素ＳＰｉｘにＲ、Ｇ、Ｂの３色の色領域３２Ｒ、３２Ｇ、３２Ｂが１組として画素Ｐｉｘとして対応付けられている。このように、副画素Ｓｐｉｘは、単色の色表示を行うことができる。カラーフィルタ３２は、ＴＦＴ基板２１と垂直な方向において、液晶層６と対向する。なお、カラーフィルタ３２は、異なる色に着色されていれば、他の色の組み合わせであってもよい。カラーフィルタ３２は、なくてもよい。このように、カラーフィルタが存在しない領域、すなわち透明な副画素があってもよい。
【００５４】
本実施の形態に係わる駆動電極ＣＯＭＬは、液晶表示デバイス２０の駆動電極として機能するとともに、タッチ検出デバイス３０の駆動電極としても機能する。図５は、本実施の形態に係わるタッチ検出機能付き表示装置を実装したモジュールにおいて、駆動電極と画素信号線と画素電極との関係を説明するための説明図（断面）である。
【００５５】
図５に示すように、駆動電極ＣＯＭＬは、ＴＦＴ基板２１の表面に対する垂直方向において、画素電極２２に対向している。図５に示すように、一つの駆動電極ＣＯＭＬが１つの画素電極２２（１列を構成する画素電極２２）に対応するように配置されている。絶縁層２４ａ、２４ｂ、２４ｃは、画素電極２２と駆動電極ＣＯＭＬとを絶縁するとともに、画素電極２２とＴＦＴ基板２１の表面に形成された画素信号線ＳＧＬとを絶縁する。また、駆動電極ＣＯＭＬは、画素信号線ＳＧＬが延在する方向と平行な方向に延在している。なお、駆動電極ＣＯＭＬは、画素信号線ＳＧＬが延在する方向と直交する方向、すなわち走査信号線ＧＣＬが延在する方向において、平面視で画素（副画素）を１つ以上含む幅にて分割されていれば、上述した画素信号線ＳＧＬが延在する方向と異なる方向に延在していてもよい。
【００５６】
図６は、本実施の形態に係わるタッチ検出デバイス３０の駆動電極およびタッチ検出電極の構成の一例を示す斜視図である。図７は、本実施の形態に係わる駆動電極ドライバの動作の一例を説明するための説明図である。
【００５７】
図６に示すように、タッチ検出デバイス３０は、対向基板３に設けられたタッチ検出電極ＴＤＬ、および画素基板２に設けられた駆動電極ＣＯＭＬにより構成されている。また、駆動電極ＣＯＭＬは、一方向に延在する複数のストライプ状の電極パターンに分割されている。なお、駆動電極ＣＯＭＬは、ストライプ状に複数に分割される形状に限られない。例えば、駆動電極ＣＯＭＬは、櫛歯形状であってもよい。あるいは、駆動電極ＣＯＭＬは、複数に分割されていればよく、駆動電極ＣＯＭＬを分割するスリットの形状は直線であっても、曲線であってもよい。また、駆動電極ＣＯＭＬは、選択信号線に対応する画素電極が表示する副画素Ｓｐｉｘが画素信号線ＳＧＬの延在する方向と直交する幅と同じ長さで分割されていてもよい。
【００５８】
タッチ検出動作を行う際は、駆動電極ＣＯＭＬの各電極パターンには、駆動電極ドライバ１５によって駆動信号Ｖｃｏｍが順次供給され、時分割的に線順次走査駆動が行われるようになっている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０（図１参照）のアナログＬＰＦ部４２の入力にそれぞれ接続されている。駆動電極ＣＯＭＬとタッチ検出電極ＴＤＬにより互いに交差した電極パターンは、その交差部分に静電容量を生じさせている。
【００５９】
この構成により、タッチ検出デバイス３０では、タッチ検出動作を行う際、図１に示す駆動電極ドライバ１５が時分割的に線順次走査するように駆動する。駆動電極ドライバ１５は、図７に示すように、例えば選択した駆動電極ＣＯＭＬ２だけ、駆動信号Ｖｃｏｍを供給し、選択されていない駆動電極ＣＯＭＬ１、ＣＯＭＬ３〜ＣＯＭＬｎには、駆動信号Ｖｃｏｍを供給しない。この選択されていない駆動電極ＣＯＭＬ１、ＣＯＭＬ３〜ＣＯＭＬｎはＧＮＤ電位にする。これにより、走査方向Ｓｃａｎに駆動電極ＣＯＭＬの１検出ブロック（タッチ検出電極ＴＤＬ１〜ＴＤＬｍ）が順次選択され、タッチ検出デバイス３０は、タッチ検出電極ＴＤＬからタッチ検出信号Ｖｄｅｔを出力する。
【００６０】
例えば、上述した駆動電極ＣＯＭＬは、画素信号線ＳＧＬが延在する方向と異なる方向に走査可能なように複数分割されている。このため、走査方向Ｓｃａｎは、画素信号線ＳＧＬが延在する方向と異なる方向になっている。このようにタッチ検出デバイス３０は、１検出ブロックのタッチ検出が行われるようになっている。そして、図６に示すように、互いに立体交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００６１】
＜駆動電極およびその駆動回路＞
本実施の形態に係わるタッチ検出機能付き表示装置の駆動電極およびその駆動回路について、図８を用いて説明する。図８は、本実施の形態に係わる駆動電極およびその駆動回路の構成の一例を示す説明図である。ここでは、本実施の形態に係わる駆動電極およびその駆動回路の特徴を分かり易くするために、本実施の形態に対する比較例に係わる駆動電極およびその駆動回路と比較して説明する。図９は、本実施の形態に対する比較例に係わる駆動電極およびその駆動回路の構成の一例を示す説明図である。
【００６２】
図８に示すように、本実施の形態に係わる駆動電極およびその駆動回路において、駆動電極ＣＯＭＬ（ＣＯＭＬ１〜ＣＯＭＬｎ）は、上述したように、タッチ検出機能付き表示デバイス１０の長辺方向（図８における上下方向）に延在して形成されている。この駆動電極ＣＯＭＬ１〜ＣＯＬＭｎを駆動する駆動回路は、上述した駆動電極ドライバ１５および駆動信号セレクタ部１６（１６Ｕ、１６Ｌ）を含む。駆動信号セレクタ部１６Ｕは、駆動電極ＣＯＭＬの延在方向の一端部に対向して設けられ、駆動信号セレクタ部１６Ｌは、駆動電極ＣＯＭＬの延在方向の他端部に対向して設けられている。また、駆動信号セレクタ部１６Ｌは、駆動電極ＣＯＭＬの他方端部と駆動電極ドライバ１５との間に配置されている。すなわち、図８において、駆動信号セレクタ部１６Ｕはタッチ検出機能付き表示デバイス１０の上側に配置され、駆動信号セレクタ部１６Ｌはタッチ検出機能付き表示デバイス１０の下側に配置されている。駆動電極ドライバ１５は、下側に配置された駆動信号セレクタ部１６Ｌに対して、さらに下側に配置されている。駆動信号セレクタ部１６Ｕ、１６Ｌは、ガラス基板であるＴＦＴ基板２１に形成されている。駆動電極ドライバ１５は、ＴＦＴ基板２１に実装されたチップであるＣＯＧ１９に含まれる。
【００６３】
駆動信号セレクタ部１６Ｕ、１６Ｌは、それぞれ、駆動電極ＣＯＭＬの分割数に対応した個数のスイッチＳおよびシフトレジスタＳＲを備えている。ここでは、駆動電極ＣＯＭＬの分割数をｎとし、１〜ｎまでのｎ個の駆動電極ＣＯＭＬ１〜ＣＯＭＬｎに対応して、ｎ個のスイッチＳ１〜Ｓｎ（Ｓ１Ｕ〜ＳｎＵ、Ｓ１Ｌ〜ＳｎＬ）およびシフトレジスタＳＲ１〜ＳＲｎ（ＳＲ１Ｕ〜ＳＲｎＵ、ＳＲ１Ｌ〜ＳＲｎＬ）を備えた例を示している。スイッチＳ１Ｕ〜ＳｎＵ、Ｓ１Ｌ〜ＳｎＬは、それぞれ、共通端子ｃ、第１端子ａおよび第２端子ｂを有する切替スイッチである。シフトレジスタＳＲ１Ｕ〜ＳＲｎＵ、ＳＲ１Ｌ〜ＳＲｎＬは、それぞれ、保持しているデータに基づいて、対応するスイッチＳ１Ｕ〜ＳｎＵ、Ｓ１Ｌ〜ＳｎＬを切り替えるレジスタである。例えば、保持しているデータが、“１”（電圧がハイレベル）の場合にはスイッチをオンにし、“０”（電圧がロウレベル）の場合にはスイッチをオフにする。シフトレジスタＳＲ１Ｕ〜ＳＲｎＵ、ＳＲ１Ｌ〜ＳＲｎＬは、駆動電極ドライバ１５から供給されるスイッチ制御信号ＳＩ０［２：０］により制御される。
【００６４】
上側に配置された駆動信号セレクタ部１６Ｕにおいて、スイッチＳ１Ｕ〜ＳｎＵの共通端子ｃは、駆動電極ＣＯＭＬ１〜ＣＯＭＬｎに接続されている。スイッチＳ１Ｕ〜ＳｎＵの第１端子ａは、駆動信号配線ＶＣＯＭに接続されている。スイッチＳ１Ｕ〜ＳｎＵの第２端子ｂは、接地配線ＧＮＤに接続されている。スイッチＳ１Ｕ〜ＳｎＵは、シフトレジスタＳＲ１Ｕ〜ＳＲｎＵから供給される入力信号ＳＩ１Ｕ〜ＳＩｎＵにより切り替えられる。スイッチＳ１Ｕ〜ＳｎＵからの出力信号ＳＯ１Ｕ〜ＳＯｎＵは、駆動電極ＣＯＭＬ１〜ＣＯＭＬｎに供給される。
【００６５】
下側に配置された駆動信号セレクタ部１６Ｌにおいて、スイッチＳ１Ｌ〜ＳｎＬの共通端子ｃは、駆動電極ＣＯＭＬ１〜ＣＯＭＬｎに接続されている。スイッチＳ１Ｌ〜ＳｎＬの第１端子ａは、駆動切替配線ＶＣＯＭ／ＧＮＤに接続されている。スイッチＳ１Ｌ〜ＳｎＬの第２端子ｂは、非接続でハイインピーダンス状態となっている。スイッチＳ１Ｌ〜ＳｎＬは、シフトレジスタＳＲ１Ｌ〜ＳＲｎＬから供給される入力信号ＳＩ１Ｌ〜ＳＩｎＬにより切り替えられる。スイッチＳ１Ｌ〜ＳｎＬからの出力信号ＳＯ１Ｌ〜ＳＯｎＬは、駆動電極ＣＯＭＬ１〜ＣＯＭＬｎに供給される。
【００６６】
駆動電極ドライバ１５は、２個のドライバをＤＲ１、ＤＲ２含み、各ドライバの出力にはスイッチＳ１、Ｓ２が接続されている。スイッチＳ１、Ｓ２は、それぞれ、共通端子ｃ、第１端子ａおよび第２端子ｂを有する切替スイッチである。スイッチＳ１、Ｓ２の共通端子ｃは、駆動切替配線ＶＣＯＭ／ＧＮＤに接続されている。スイッチＳ１、Ｓ２の第１端子ａは、ドライバＤＲ１、ＤＲ２の出力に接続されると共に、駆動信号配線ＶＣＯＭに接続されている。スイッチＳ１、Ｓ２の第２端子ｂは、接地電位に接続されている。
【００６７】
本実施の形態において、タッチ検出機能付き表示デバイス１０のＴＦＴ基板２１には、駆動電極ドライバ１５と駆動信号セレクタ部１６Ｕ、１６Ｌとの間に、スイッチ制御信号ＳＩ０の配線が形成されている。さらに、駆動電極ドライバ１５と駆動信号セレクタ部１６Ｕとの間には駆動信号配線ＶＣＯＭが形成され、駆動電極ドライバ１５と駆動信号セレクタ部１６Ｌとの間には駆動切替配線ＶＣＯＭ／ＧＮＤが形成されている。また、ＴＦＴ基板２１には、駆動信号セレクタ部１６Ｕに接続される接地配線ＧＮＤが形成されている。
【００６８】
以上が本実施の形態の駆動電極ＣＯＭＬおよびその駆動回路（駆動電極ドライバ１５、駆動信号セレクタ部１６Ｕ、１６Ｌ）の構成であるが、本実施の形態では、特に、駆動電極ＣＯＭＬ１〜ＣＯＭＬｎが配置されているパネルに接地配線ＧＮＤを設け、この接地配線ＧＮＤを上側に配置された駆動信号セレクタ部１６ＵにおけるスイッチＳ１Ｕ〜ＳｎＵの第２端子ｂに接続していることが特徴である。
【００６９】
これに対して、本実施の形態に対する比較例の駆動電極およびその駆動回路の構成においては、図９に示すように、上側に配置された駆動信号セレクタ部１６ＵにおけるスイッチＳ１Ｕ〜ＳｎＵの第２端子ｂは、駆動切替配線ＶＣＯＭ／ＧＮＤに接続されている。この駆動切替配線ＶＣＯＭ／ＧＮＤには、下側に配置された駆動信号セレクタ部１６ＬにおけるスイッチＳ１Ｌ〜ＳｎＬの第１端子ａも接続されている。
【００７０】
図９に示す比較例の構成では、タッチ検出期間において、例えば図９に示すように駆動電極ＣＯＭＬ２が選択された場合に、この選択された駆動電極ＣＯＭＬ２が、上側に配置された駆動信号セレクタ部１６ＵにおけるスイッチＳ２Ｕを介して、駆動切替配線ＶＣＯＭ／ＧＮＤを通じて、さらに、駆動電極ドライバ１５内のスイッチＳ１、Ｓ２を介して接地電位に接続される。同様に、選択された駆動電極ＣＯＭＬ２が、下側に配置された駆動信号セレクタ部１６ＬにおけるスイッチＳ２Ｌを介して、駆動切替配線ＶＣＯＭ／ＧＮＤを通じて、さらに、駆動電極ドライバ１５内のスイッチＳ１、Ｓ２を介して接地電位に接続される。この場合に、接地電位に流れる電流は、駆動電極ドライバ１５内のスイッチＳ１、Ｓ２に流れるため、接地電位への収束性が悪いという課題があった。
【００７１】
すなわち、比較例の構成では、タッチ検出時に駆動信号をＧＮＤ電位（接地電位）に切り替える際、全電流が駆動電極ドライバ１５内のスイッチＳ１、Ｓ２へ流れることから、駆動電極ドライバ１５上のスイッチＳ１、Ｓ２を大きくしてスイッチ抵抗を十分に小さくしないと、ＧＮＤ電位への電位変動の収束性が悪いという課題があった。
【００７２】
そこで、本実施の形態では、駆動電極ドライバ１５側のスイッチＳ１、Ｓ２を小さく抑えつつ、ＧＮＤ電位への電位変動の収束性を改善するものである。そのために、タッチ検出機能付き表示デバイス１０のパネル側に接地配線ＧＮＤを設け、この接地配線ＧＮＤを上側に配置された駆動信号セレクタ部１６ＵにおけるスイッチＳ１Ｕ〜ＳｎＵの第２端子ｂに接続する。そして、駆動電極ドライバ１５による駆動切替タイミングと同タイミングで、駆動信号セレクタ部１６ＵにおけるスイッチＳ１Ｕ〜ＳｎＵ、駆動信号セレクタ部１６ＬにおけるスイッチＳ１Ｌ〜ＳｎＬを切替制御することで、比較例の課題を解決する。
【００７３】
図８に示した本実施の形態に係わる駆動電極およびその駆動回路において、駆動電極ドライバ１５、上側に配置された駆動信号セレクタ部１６Ｕ、および下側に配置された駆動信号セレクタ部１６Ｌのそれぞれの状態は、後述する図１２の状態に対応する。
【００７４】
＜駆動電極の駆動回路の動作＞
本実施の形態に係わる駆動電極の駆動回路の動作について、図１０〜図１４を用いて説明する。図１０〜図１２は、本実施の形態に係わる駆動電極の駆動回路の動作の一例を示す説明図である。図１３〜図１４は、本実施の形態に係わる駆動電極の駆動回路の動作の一例を示すタイミングチャートである。図１３〜図１４においては、図１３に表示期間１、２およびタッチ検出期間１、２を示し、これに続く表示期間３〜ｎおよびタッチ検出期間３〜ｎを図１４に示している。また、動作は、表示期間１、タッチ検出期間１、表示期間２、タッチ検出期間２、表示期間３、タッチ検出期間３、…、表示期間ｎ、タッチ検出期間ｎの順に実行される。また、タッチ検出期間１〜ｎのそれぞれには、状態（１）と、この状態（１）に続く状態（２）と、この状態（２）に続く状態（１）とが含まれる。
【００７５】
図１０〜図１４において、ＳＩ０［２：０］はスイッチ制御信号であり、それぞれ、ＳＩ０［０］は動作を開始するためのスタートパルス信号、ＳＩ０［１］は動作を同期させるためのクロック信号、ＳＩ０［２］は表示動作とタッチ検出動作とを切り替えるためのスイッチ切替信号である。このスイッチ制御信号ＳＩ０［２：０］は、駆動電極ドライバ１５から駆動信号セレクタ部１６Ｕ、１６ＬのシフトレジスタＳＲ１Ｕ〜ＳＲｎＵ、ＳＲ１Ｌ〜ＳＲｎＬへ供給される信号である。ＳＯ０は、駆動電極ドライバ１５内のスイッチＳ１、Ｓ２の共通端子ｃに繋がる部分の出力信号である。この出力信号ＳＯ０は、駆動電極ドライバ１５内のドライバＤＲ１、ＤＲ２から、スイッチＳ１、Ｓ２を介し、配線ＳＯ０Ｌを通じて、駆動信号セレクタ部１６ＬのスイッチＳ１Ｌ〜ＳｎＬに供給される駆動信号である。一方、駆動信号セレクタ部１６ＵのスイッチＳ１Ｕ〜ＳｎＵへの駆動信号は、駆動電極ドライバ１５内のドライバＤＲ１、ＤＲ２から、配線ＳＯ０Ｕを通じて供給される。
【００７６】
ＳＩ１Ｕ〜ＳＩｎＵは、上側に配置された駆動信号セレクタ部１６ＵのスイッチＳ１Ｕ〜ＳｎＵへの入力信号である。この入力信号ＳＩ１Ｕ〜ＳＩｎＵは、駆動信号セレクタ部１６ＵのシフトレジスタＳＲ１Ｕ〜ＳＲｎＵからスイッチＳ１Ｕ〜ＳｎＵへ供給される信号である。ＳＩ１Ｌ〜ＳＩｎＬは、下側に配置された駆動信号セレクタ部１６ＬのスイッチＳ１Ｌ〜ＳｎＬへの入力信号である。この入力信号ＳＩ１Ｌ〜ＳＩｎＬは、駆動信号セレクタ部１６ＬのシフトレジスタＳＲ１Ｌ〜ＳＲｎＬからスイッチＳ１Ｌ〜ＳｎＬへ供給される信号である。
【００７７】
ＳＯ１Ｕ〜ＳＯｎＵは、上側に配置された駆動信号セレクタ部１６ＵのスイッチＳ１Ｕ〜ＳｎＵからの出力信号である。この出力信号ＳＯ１Ｕ〜ＳＯｎＵは、駆動信号セレクタ部１６ＵのスイッチＳ１Ｕ〜ＳｎＵから駆動電極ＣＯＭＬ１〜ＣＯＭＬｎへ供給される信号である。ＳＯ１Ｌ〜ＳＯｎＬは、下側に配置された駆動信号セレクタ部１６ＬのスイッチＳ１Ｌ〜ＳｎＬからの出力信号である。この出力信号ＳＯ１Ｌ〜ＳＯｎＬは、駆動信号セレクタ部１６ＬのスイッチＳ１Ｌ〜ＳｎＬから駆動電極ＣＯＭＬ１〜ＣＯＭＬｎへ供給される信号である。ＣＯＭＬ１〜ＣＯＭＬｎは、駆動電極である。
【００７８】
＜＜表示期間＞＞
図１０は、表示期間における駆動電極ドライバ１５および駆動信号セレクタ部１６Ｕ、１６Ｌの状態を示している。図１０の状態は、図１３における表示期間２に対応する状態（シフトレジスタＳＲ１Ｕ、ＳＲ１Ｌが選択されているときの状態）である。
【００７９】
この表示期間１〜ｎは、図１３〜図１４に示すように、例えば最初の表示期間１において、スタートパルス信号ＳＩ０［０］として電圧がハイレベルとなる１パルスの信号が、駆動電極ドライバ１５から駆動信号セレクタ部１６Ｕ、１６ＬのシフトレジスタＳＲ１Ｕ〜ＳＲｎＵ、ＳＲ１Ｌ〜ＳＲｎＬに供給される。この１パルスの信号は、最初の表示期間１のみであり、以降の表示期間２〜ｎでは、スタートパルス信号ＳＩ０［０］は電圧がロウレベルの信号である。
【００８０】
さらに、この表示期間１〜ｎにおいては、クロック信号ＳＩ０［１］およびスイッチ切替信号ＳＩ０［２］は電圧をロウレベルとする信号である。これらの信号ＳＩ０［１］およびＳＩ０［２］も、駆動電極ドライバ１５から駆動信号セレクタ部１６Ｕ、１６ＬのシフトレジスタＳＲ１Ｕ〜ＳＲｎＵ、ＳＲ１Ｌ〜ＳＲｎＬに供給される。
【００８１】
また、この表示期間１〜ｎは、駆動電極ドライバ１５内のドライバＤＲ１、ＤＲ２からのスイッチＳ１、Ｓ２を介した出力信号ＳＯ０が、Ｖｃｏｍ電位の駆動信号である。Ｖｃｏｍ電位は、接地電位ＧＮＤ（０Ｖ）に対して負の電位である。駆動電極ドライバ１５内のスイッチＳ１、Ｓ２は、この表示期間１〜ｎではオフであり、共通端子ｃが第１端子ａに接続された状態である。この出力信号ＳＯ０は、配線ＳＯ０Ｌを通じて、下側に配置された駆動信号セレクタ部１６ＬのスイッチＳ１Ｌ〜ＳｎＬの第１端子ａに供給される。一方、上側に配置された駆動信号セレクタ部１６ＵのスイッチＳ１Ｕ〜ＳｎＵの第１端子ａには、駆動電極ドライバ１５内のドライバＤＲ１、ＤＲ２から、配線ＳＯ０Ｕを通じて、出力信号ＳＯ０と同じ駆動信号が供給される。
【００８２】
この表示期間１〜ｎでは、スタートパルス信号ＳＩ０［０］およびクロック信号ＳＩ０［１］によりシフトレジスタＳＲ１Ｕ〜ＳＲｎＵ、ＳＲ１Ｕ〜ＳＲｎＵが選択されるが、スイッチ切替信号ＳＩ０［２］がロウレベルの出力のため、全てのスイッチＳ１Ｕ〜ＳｎＵ、Ｓ１Ｌ〜ＳｎＬはオフとなる。
【００８３】
すなわち、スイッチ切替信号ＳＩ０［２］がロウレベルの出力の時には、上側に配置された駆動信号セレクタ部１６ＵのスイッチＳ１Ｕ〜ＳｎＵへの入力信号ＳＩ１Ｕ〜ＳＩｎＵ、および、下側に配置された駆動信号セレクタ部１６ＬのスイッチＳ１Ｌ〜ＳｎＬへの入力信号ＳＩ１Ｌ〜ＳＩｎＬのうち、選択されるシフトレジスタＳＲ１Ｕ〜ＳＲｎＵ、ＳＲ１Ｌ〜ＳＲｎＬに対応するスイッチへの入力信号はハイレベルとなるが、全てのスイッチＳ１Ｕ〜ＳｎＵ、Ｓ１Ｌ〜ＳｎＬはオフとなる。
【００８４】
上側に配置された駆動信号セレクタ部１６ＵのスイッチＳ１Ｕ〜ＳｎＵがオフの場合には、各スイッチＳ１Ｕ〜ＳｎＵの共通端子ｃは駆動信号配線ＶＣＯＭ（Ｖｃｏｍ電位）に接続された第１端子ａと接続される。また、下側に配置された駆動信号セレクタ部１６ＬのスイッチＳ１Ｌ〜ＳｎＬがオフの場合には、各スイッチＳ１Ｌ〜ＳｎＬの共通端子ｃは駆動電極ドライバ１５内のドライバＤＲ１、ＤＲ２からのスイッチＳ１、Ｓ２を介した出力信号ＳＯ０であるＶｃｏｍ電位が供給された第１端子ａと接続される。
【００８５】
これにより、上側に配置された駆動信号セレクタ部１６ＵのスイッチＳ１Ｕ〜ＳｎＵからの出力信号ＳＯ１Ｕ〜ＳＯｎＵ、および、下側に配置された駆動信号セレクタ部１６ＬのスイッチＳ１Ｌ〜ＳｎＬからの出力信号ＳＯ１Ｌ〜ＳＯｎＬとして、Ｖｃｏｍ電位が出力される。このようにして、駆動電極ＣＯＭＬ１〜ＣＯＭＬｎには、Ｖｃｏｍ電位が印加される。
【００８６】
＜＜タッチ検出期間（状態（１））＞＞
図１１は、タッチ検出期間（状態（１））における駆動電極ドライバ１５および駆動信号セレクタ部１６Ｕ、１６Ｌの状態を示している。図１１の状態は、図１３におけるタッチ検出期間２に含まれる状態（１）に対応する状態（シフトレジスタＳＲ２Ｕ、ＳＲ２Ｌが選択されるときの状態）である。
【００８７】
このタッチ検出期間１〜ｎ（状態（１））は、図１３〜図１４に示すように、スタートパルス信号ＳＩ０［０］は電圧がロウレベルの信号であり、クロック信号ＳＩ０［１］は電圧がハイレベルの信号であり、スイッチ切替信号ＳＩ０［２］は電圧がロウレベルの信号である。このタッチ検出期間１〜ｎ（状態（１））では、クロック信号ＳＩ０［１］の電圧がハイレベルに切り替えられる。これらの信号ＳＩ０［０］、ＳＩ０［１］およびＳＩ０［２］（ＳＩ０［２：０］）が、駆動電極ドライバ１５から駆動信号セレクタ部１６Ｕ、１６ＬのシフトレジスタＳＲ１Ｕ〜ＳＲｎＵ、ＳＲ１Ｌ〜ＳＲｎＬに供給される。
【００８８】
また、このタッチ検出期間１〜ｎ（状態（１））は、駆動電極ドライバ１５内のドライバＤＲ１、ＤＲ２からのスイッチＳ１、Ｓ２を介した出力信号ＳＯ０が、Ｖｃｏｍ電位の駆動信号である。駆動電極ドライバ１５内のスイッチＳ１、Ｓ２は、このタッチ検出期間１〜ｎ（状態（１））ではオフであり、共通端子ｃが第１端子ａに接続された状態である。この出力信号ＳＯ０は、配線ＳＯ０Ｌを通じて、下側に配置された駆動信号セレクタ部１６ＬのスイッチＳ１Ｌ〜ＳｎＬの第１端子ａに供給される。一方、上側に配置された駆動信号セレクタ部１６ＵのスイッチＳ１Ｕ〜ＳｎＵの第１端子ａには、駆動電極ドライバ１５内のドライバＤＲ１、ＤＲ２から、配線ＳＯ０Ｕを通じて、出力信号ＳＯ０と同じ駆動信号が供給される。
【００８９】
このタッチ検出期間１〜ｎ（状態（１））では、クロック信号ＳＩ０［１］によるクロック動作によって、選択されるシフトレジスタＳＲ１Ｕ〜ＳＲｎＵ、ＳＲ１Ｌ〜ＳＲｎＬが順にシフトする。すなわち、このタッチ検出期間１〜ｎ（状態（１））は、シフトレジスタＳＲ１Ｕ〜ＳＲｎＵ、ＳＲ１Ｌ〜ＳＲｎＬがシフトするシフト期間である。具体的には、上側に配置された駆動信号セレクタ部１６ＵのシフトレジスタＳＲ１Ｕ〜ＳＲｎＵ、および、下側に配置された駆動信号セレクタ部１６ＬのシフトレジスタＳＲ１Ｌ〜ＳＲｎＬに保持される電圧がハイレベルのデータが順にシフトする。しかし、スイッチ切替信号ＳＩ０［２］がロウレベルの出力のため、上述した表示期間１〜ｎと同様に、全てのスイッチＳ１Ｕ〜ＳｎＵ、Ｓ１Ｌ〜ＳｎＬはオフとなる。
【００９０】
すなわち、スイッチ切替信号ＳＩ０［２］がロウレベルの出力の時には、上側に配置された駆動信号セレクタ部１６ＵのスイッチＳ１Ｕ〜ＳｎＵへの入力信号ＳＩ１Ｕ〜ＳＩｎＵ、および、下側に配置された駆動信号セレクタ部１６ＬのスイッチＳ１Ｌ〜ＳｎＬへの入力信号ＳＩ１Ｌ〜ＳＩｎＬのうち、選択されるシフトレジスタＳＲ１Ｕ〜ＳＲｎＵ、ＳＲ１Ｌ〜ＳＲｎＬに対応するスイッチへの入力信号はハイレベルとなるが、全てのスイッチＳ１Ｕ〜ＳｎＵ、Ｓ１Ｌ〜ＳｎＬはオフとなる。
【００９１】
上側に配置された駆動信号セレクタ部１６ＵのスイッチＳ１Ｕ〜ＳｎＵがオフの場合には、各スイッチＳ１Ｕ〜ＳｎＵの共通端子ｃは駆動信号配線ＶＣＯＭ（Ｖｃｏｍ電位）に接続された第１端子ａと接続される。また、下側に配置された駆動信号セレクタ部１６ＬのスイッチＳ１Ｌ〜ＳｎＬがオフの場合には、各スイッチＳ１Ｌ〜ＳｎＬの共通端子ｃは駆動電極ドライバ１５内のドライバＤＲ１、ＤＲ２からのスイッチＳ１、Ｓ２を介した出力信号ＳＯ０であるＶｃｏｍ電位が供給された第１端子ａと接続される。
【００９２】
これにより、上側に配置された駆動信号セレクタ部１６ＵのスイッチＳ１Ｕ〜ＳｎＵからの出力信号ＳＯ１Ｕ〜ＳＯｎＵ、および、下側に配置された駆動信号セレクタ部１６ＬのスイッチＳ１Ｌ〜ＳｎＬからの出力信号ＳＯ１Ｌ〜ＳＯｎＬとして、Ｖｃｏｍ電位が出力される。このようにして、駆動電極ＣＯＭＬ１〜ＣＯＭＬｎには、Ｖｃｏｍ電位が印加される。
【００９３】
＜＜タッチ検出期間（状態（２））＞＞
図１２は、タッチ検出期間（状態（２））における駆動電極ドライバ１５および駆動信号セレクタ部１６Ｕ、１６Ｌの状態を示している。図１２の状態は、図１３におけるタッチ検出期間２に含まれる状態（２）に対応する状態（シフトレジスタＳＲ２Ｕ、ＳＲ２Ｌが選択されたときの状態）である。
【００９４】
このタッチ検出期間１〜ｎ（状態（２））は、図１３〜図１４に示すように、スタートパルス信号ＳＩ０［０］は電圧がロウレベルの信号であり、クロック信号ＳＩ０［１］は電圧がハイレベルの信号であり、スイッチ切替信号ＳＩ０［２］は電圧がハイレベルの信号である。このタッチ検出期間１〜ｎ（状態（２））では、スイッチ切替信号ＳＩ０［２］の電圧がハイレベルに切り替えられる。これらの信号ＳＩ０［０］、ＳＩ０［１］およびＳＩ０［２］（ＳＩ０［２：０］）が、駆動電極ドライバ１５から駆動信号セレクタ部１６Ｕ、１６ＬのシフトレジスタＳＲ１Ｕ〜ＳＲｎＵ、ＳＲ１Ｌ〜ＳＲｎＬに供給される。
【００９５】
また、このタッチ検出期間１〜ｎ（状態（２））は、駆動電極ドライバ１５内のドライバＤＲ１、ＤＲ２からのスイッチＳ１、Ｓ２を介した出力信号ＳＯ０は、ＧＮＤ電位の駆動信号である。駆動電極ドライバ１５内のスイッチＳ１、Ｓ２は、このタッチ検出期間１〜ｎ（状態（２））ではオンに切り替えられ、共通端子ｃがＧＮＤ電位に接続された第２端子ｂに接続された状態となる。すなわち、タッチ検出期間１〜ｎ（状態（２））では、出力信号ＳＯ０の電圧がＧＮＤ電位に切り替えられる。これにより、下側に配置された駆動信号セレクタ部１６ＬのスイッチＳ１Ｌ〜ＳｎＬの第１端子ａがＧＮＤ電位に接続される。一方、上側に配置された駆動信号セレクタ部１６ＵのスイッチＳ１Ｕ〜ＳｎＵの第１端子ａには、駆動電極ドライバ１５内のドライバＤＲ１、ＤＲ２から、配線ＳＯ０Ｕを通じて、駆動信号が供給される。
【００９６】
このタッチ検出期間１〜ｎ（状態（２））では、スイッチ切替信号ＳＩ０［２］がハイレベルになることで、上側に配置された駆動信号セレクタ部１６Ｕでは、スイッチＳ１Ｕ〜ＳｎＵのうち、選択されたシフトレジスタＳＲ１Ｕ〜ＳＲｎＵに対応するスイッチＳ１Ｕ〜ＳｎＵがオンとなる。図１２では、選択されたシフトレジスタＳＲ２Ｕに対応するスイッチＳ２Ｕがオンとなっている。選択されたシフトレジスタが他の場合でも同様である。また、下側に配置された駆動信号セレクタ部１６Ｌでは、スイッチＳ１Ｌ〜ＳｎＬのうち、選択されないシフトレジスタＳＲ１Ｌ〜ＳＲｎＬのスイッチＳ１Ｌ〜ＳｎＬがオンとなる。図１２では、選択されないシフトレジスタＳＲ１Ｌ、ＳＲ３Ｌ〜ＳＲｎＬに対応するスイッチＳ１Ｌ、Ｓ３Ｌ〜ＳｎＬがオンとなっている。選択されないシフトレジスタが他の場合でも同様である。同時に、駆動電極ドライバ１５側のスイッチＳ１、Ｓ２もＧＮＤ電位側に切り替わる。
【００９７】
すなわち、スイッチ切替信号ＳＩ０［２］がハイレベルになることで、図１２において、上側に配置された駆動信号セレクタ部１６Ｕでは、選択されたシフトレジスタＳＲ２ＵからスイッチＳ２Ｕへの入力信号ＳＩ２Ｕはハイレベルとなり、このスイッチＳ２Ｕはオンとなる。なお、上側に配置された駆動信号セレクタ部１６Ｕでは、選択されないシフトレジスタＳＲ１Ｕ、ＳＲ３Ｕ〜ＳＲｎＵからスイッチＳ１Ｕ、Ｓ３Ｕ〜ＳｎＵへの入力信号ＳＩ１Ｕ、ＳＩ３Ｕ〜ＳＩｎＵはロウレベルであり、このスイッチＳ１Ｕ、Ｓ３Ｕ〜ＳｎＵはオフのままである。
【００９８】
また、図１２において、下側に配置された駆動信号セレクタ部１６Ｌでは、選択されないシフトレジスタＳＲ１Ｌ、ＳＲ３Ｌ〜ＳＲｎＬからスイッチＳ１Ｌ、Ｓ３Ｌ〜ＳｎＬへの入力信号ＳＩ１Ｌ、ＳＩ３Ｌ〜ＳＩｎＬはハイレベルとなり、このスイッチＳ１Ｌ、Ｓ３Ｌ〜ＳｎＬはオンとなる。なお、下側に配置された駆動信号セレクタ部１６Ｌでは、選択されたシフトレジスタＳＲ２ＬからスイッチＳ２Ｌへの入力信号ＳＩ２Ｌはロウレベルであり、このスイッチＳ２Ｌはオフのままである。
【００９９】
そして、図１２において、上側に配置された駆動信号セレクタ部１６Ｕでは、オンになったスイッチＳ２Ｕは、共通端子ｃが接地配線ＧＮＤに接続された第２端子ｂと接続される。なお、オフのままのスイッチＳ１Ｕ、Ｓ３Ｕ〜ＳｎＵは、共通端子ｃが駆動電極ドライバ１５内のドライバＤＲ１、ＤＲ２からの出力に接続された第１端子ａと接続される。
【０１００】
また、図１２において、下側に配置された駆動信号セレクタ部１６Ｌでは、オンになったスイッチＳ１Ｌ、Ｓ３Ｌ〜ＳｎＬは、共通端子ｃがハイインピーダンス状態の第２端子ｂと接続される。なお、オフのままのスイッチＳ２Ｌは、共通端子ｃが駆動電極ドライバ１５内のＧＮＤ電位に接続された第１端子ａと接続される。
【０１０１】
これにより、図１２において、上側に配置された駆動信号セレクタ部１６Ｕでは、選択されたシフトレジスタＳＲ２Ｕに対応するスイッチＳ２Ｕは接地配線ＧＮＤに接続され、このスイッチＳ２Ｕからの出力信号ＳＯ２ＵはＧＮＤ電位となる。また、下側に配置された駆動信号セレクタ部１６Ｌでは、選択されたシフトレジスタＳＲ２Ｌに対応するスイッチＳ２Ｌは駆動電極ドライバ１５内のＧＮＤ電位に接続され、このスイッチＳ２Ｌからの出力信号ＳＯ２ＬはＧＮＤ電位となる。このようにして、選択された駆動電極ＣＯＭＬ２には、ＧＮＤ電位が印加される。
【０１０２】
これらのＧＮＤ電位において、下側に配置された駆動信号セレクタ部１６ＬのスイッチＳ２Ｌが接続されたＧＮＤ電位は、駆動電極ドライバ１５内のスイッチＳ１、Ｓ２を介した駆動電極ドライバ１５内のＧＮＤ電位である。これに対して、上側に配置された駆動信号セレクタ部１６ＵのスイッチＳ２Ｕが接続されたＧＮＤ電位は、駆動電極ドライバ１５内のスイッチＳ１、Ｓ２を介さずに、駆動電極ＣＯＭＬ１〜ＣＯＭＬｎが形成されたパネルの接地配線ＧＮＤに直接接続されたＧＮＤ電位である。
【０１０３】
また、図１２において、上側に配置された駆動信号セレクタ部１６Ｕでは、選択されないシフトレジスタＳＲ１Ｕ、ＳＲ３Ｕ〜ＳＲｎＵに対応するスイッチＳ１Ｕ、Ｓ３Ｕ〜ＳｎＵからの出力信号ＳＯ１Ｕ、ＳＯ３Ｕ〜ＳＯｎＵはＶｃｏｍ電位となる。また、下側に配置された駆動信号セレクタ部１６Ｌでは、選択されないシフトレジスタＳＲ１Ｌ、ＳＲ３Ｌ〜ＳＲｎＬに対応するスイッチＳ１Ｌ、Ｓ３Ｌ〜ＳｎＬからの出力信号ＳＯ１Ｌ、ＳＯ３Ｌ〜ＳＯｎＬはハイインピーダンス状態となる。このようにして、選択されない駆動電極ＣＯＭＬ１、ＣＯＭＬ３〜ＣＯＭＬｎには、Ｖｃｏｍ電位が印加される。
【０１０４】
このタッチ検出期間（状態（２））において、本実施の形態に対する比較例の構成（図９）では、上側に配置された駆動信号セレクタ部１６ＵのスイッチＳ２Ｕが接続されたＧＮＤ電位も、下側に配置された駆動信号セレクタ部１６ＬのスイッチＳ２Ｌが接続されたＧＮＤ電位と同じで、駆動電極ドライバ１５内のスイッチＳ１、Ｓ２を介した駆動電極ドライバ１５内のＧＮＤ電位である。このため、ＧＮＤ電位への電位変動の収束性が悪いという課題があった。
【０１０５】
ここで、図１５を用いて、本実施の形態と比較例とのＧＮＤ電位への電位変動の収束性の相違について説明する。図１５は、本実施の形態と比較例とのＧＮＤ電位への電位変動の収束性の相違を示す説明図である。
【０１０６】
駆動電極ＣＯＭＬ１〜ＣＯＭＬｎに供給される駆動信号は、選択された駆動電極に対してＧＮＤ電位が供給される。図１５では、駆動電極ＣＯＭＬ１が選択され、この駆動電極ＣＯＭＬ１に駆動信号が供給される例において、（ａ）はその駆動信号の波形を示し、（ｂ）は本実施の形態における拡大波形、（ｃ）は本実施の形態に対する比較例における拡大波形をそれぞれ示している。
【０１０７】
図５（ｂ）に示す本実施の形態では、図５（ｃ）に示す本実施の形態に対する比較例に比べて、Ｖｃｏｍ電位からＧＮＤ電位へ切り替わる電位変動期間を短縮期間分だけ短くすることができる。これは、駆動電極ドライバ１５内のスイッチＳ１、Ｓ２を介さずに駆動電極ＣＯＭＬ１〜ＣＯＭＬｎが形成されたパネルのＧＮＤ電位に引き込む経路（接地配線ＧＮＤ）を設けることで、スイッチ抵抗を削減できるためである。スイッチ抵抗を削減できることで、ＧＮＤ電位への電位変動の収束性を改善することができる。
【０１０８】
＜本実施の形態の効果＞
以上説明した本実施の形態に係わるタッチ検出機能付き表示装置１によれば、駆動電極ドライバ１５側のスイッチＳ１、Ｓ２を小さく抑えつつ、ＧＮＤ電位への電位変動の収束性を改善することができる。すなわち、タッチ検出時に選択される駆動電極ＣＯＭＬを、駆動電極ドライバ１５内のスイッチＳ１、Ｓ２を介したＧＮＤ電位ではなく、パネルに設けた接地配線ＧＮＤに直接接続して、駆動電極ドライバ１５側のＶｃｏｍ電位／ＧＮＤ電位の駆動切替タイミングと同タイミングで、パネルのスイッチＳ１Ｕ〜ＳｎＵ、Ｓ１Ｌ〜ＳｎＬの切替制御を行う。これにより、パネルのスイッチＳ１Ｕ〜ＳｎＵ、Ｓ１Ｌ〜ＳｎＬから駆動電極ドライバ１５内のスイッチＳ１、Ｓ２へ流れる電流成分を駆動電極ドライバ１５が考慮する必要がなくなるため、駆動電極ドライバ１５側のスイッチＳ１、Ｓ２を小さく抑えつつ、ＧＮＤ電位への電位変動の収束性を改善することができる。より詳細には、以下の通りである。
【０１０９】
（１）複数の駆動電極ＣＯＭＬが形成されたＴＦＴ基板２１には、タッチ検出期間（状態（２））において、駆動信号セレクタ部１６Ｕにより選択された駆動電極ＣＯＭＬが接続される接地配線ＧＮＤが形成されていることで、選択された駆動電極ＣＯＭＬをＴＦＴ基板２１上に形成した接地配線ＧＮＤに接続することができる。これにより、本実施の形態では、比較例のような駆動電極ドライバ１５内のスイッチＳ１、Ｓ２を介したＧＮＤ電位ではなく、パネルに設けた接地配線ＧＮＤに直接接続することができる。
【０１１０】
（２）タッチ検出期間（状態（２））においては、駆動信号セレクタ部１６Ｕにより選択された駆動電極ＣＯＭＬを、ＴＦＴ基板２１上の接地配線ＧＮＤに接続することができる。かつ、駆動信号セレクタ部１６Ｌにより選択された駆動電極ＣＯＭＬを、ＴＦＴ基板２１上の駆動切替配線ＶＣＯＭ／ＧＮＤを介して、駆動電極ドライバ１５内の接地電位に接続することができる。
【０１１１】
（３）タッチ検出期間（状態（２））においては、駆動信号セレクタ部１６Ｕにより選択されない駆動電極ＣＯＭＬを、ＴＦＴ基板２１上の駆動信号配線ＶＣＯＭに接続することができる。かつ、駆動信号セレクタ部１６Ｌにより選択されない駆動電極ＣＯＭＬを、ハイインピーダンス状態とすることができる。
【０１１２】
（４）表示期間においては、駆動信号セレクタ部１６Ｕにより選択された駆動電極ＣＯＭＬ、および選択されない駆動電極ＣＯＭＬを、ＴＦＴ基板２１上の駆動信号配線ＶＣＯＭに接続することができる。かつ、駆動信号セレクタ部１６Ｌにより選択された駆動電極ＣＯＭＬ、および選択されない駆動電極ＣＯＭＬを、ＴＦＴ基板２１上の駆動切替配線ＶＣＯＭ／ＧＮＤに接続することができる。
【０１１３】
（５）駆動信号セレクタ部１６Ｕおよび駆動信号セレクタ部１６Ｌのそれぞれは、複数の駆動電極ＣＯＭＬのそれぞれに対応する複数のシフトレジスタＳＲ１Ｕ〜ＳＲｎＵ、ＳＲ１Ｌ〜ＳＲｎＬ、および複数のスイッチＳ１Ｕ〜ＳｎＵ、Ｓ１Ｌ〜ＳｎＬを含んで構成することができる。複数のシフトレジスタＳＲ１Ｕ〜ＳＲｎＵ、ＳＲ１Ｌ〜ＳＲｎＬのそれぞれは、駆動電極ドライバ１５からのスイッチ制御信号ＳＩ０［２：０］によりシフト制御され、複数の駆動電極ＣＯＭＬのうちの選択される駆動電極に対応するスイッチを切り替えることができる。
【０１１４】
（６）タッチ検出期間（状態（２））においては、駆動信号セレクタ部１６Ｕにより選択された駆動電極に対応するスイッチＳ１Ｕ〜ＳｎＵを、このスイッチに対応するシフトレジスタＳＲ１Ｕ〜ＳＲｎＵからの信号によりオンにして、この選択された駆動電極をＴＦＴ基板２１上の接地配線ＧＮＤに接続することができる。かつ、駆動信号セレクタ部１６Ｌにより選択された駆動電極に対応するスイッチＳ１Ｌ〜ＳｎＬを、このスイッチに対応するシフトレジスタＳＲ１Ｌ〜ＳＲｎＬからの信号によりオフにして、この選択された駆動電極をＴＦＴ基板２１上の駆動切替配線ＶＣＯＭ／ＧＮＤを介して、駆動電極ドライバ１５内の接地電位に接続することができる。
【０１１５】
（７）タッチ検出期間（状態（２））においては、駆動信号セレクタ部１６Ｕにより選択されない駆動電極に対応するスイッチＳ１Ｕ〜ＳｎＵを、このスイッチに対応するシフトレジスタＳＲ１Ｕ〜ＳＲｎＵからの信号によりオフにして、この選択されない駆動電極をＴＦＴ基板２１上の駆動信号配線ＶＣＯＭに接続することができる。かつ、駆動信号セレクタ部１６Ｌにより選択されない駆動電極に対応するスイッチＳ１Ｌ〜ＳｎＬを、このスイッチに対応するシフトレジスタＳＲ１Ｌ〜ＳＲｎＬからの信号によりオンにして、この選択されない駆動電極をハイインピーダンス状態とすることができる。
【０１１６】
（８）表示期間においては、駆動信号セレクタ部１６Ｕにより選択された駆動電極、および選択されない駆動電極に対応するスイッチＳ１Ｕ〜ＳｎＵを、このスイッチに対応するシフトレジスタＳＲ１Ｕ〜ＳＲｎＵからの信号によりオフにして、これらの選択された駆動電極および選択されない駆動電極をＴＦＴ基板２１上の駆動信号配線ＶＣＯＭに接続することができる。かつ、駆動信号セレクタ部１６Ｌにより選択された駆動電極、および選択されない駆動電極に対応するスイッチＳ１Ｌ〜ＳｎＬを、このスイッチに対応するシフトレジスタＳＲ１Ｌ〜ＳＲｎＬからの信号によりオフにして、これらの選択された駆動電極および選択されない駆動電極をＴＦＴ基板２１上の駆動切替配線ＶＣＯＭ／ＧＮＤに接続することができる。
【０１１７】
（９）タッチ検出期間のうちの、シフトレジスタＳＲ１Ｕ〜ＳＲｎＵ、ＳＲ１Ｕ〜ＳＲｎＬのそれぞれがシフトするタッチ検出期間（状態（１））においては、駆動信号セレクタ部１６Ｕにより選択された駆動電極、および選択されない駆動電極に対応するスイッチＳ１Ｕ〜ＳｎＵを、このスイッチに対応するシフトレジスタＳＲ１Ｕ〜ＳＲｎＵからの信号によりオフにして、これらの選択された駆動電極および選択されない駆動電極をＴＦＴ基板２１上の駆動信号配線ＶＣＯＭに接続することができる。かつ、駆動信号セレクタ部１６Ｌにより選択された駆動電極、および選択されない駆動電極に対応するスイッチＳ１Ｌ〜ＳｎＬを、このスイッチに対応するシフトレジスタＳＲ１Ｌ〜ＳＲｎＬからの信号によりオフにして、これらの選択された駆動電極および選択されない駆動電極をＴＦＴ基板２１上の駆動切替配線ＶＣＯＭ／ＧＮＤに接続することができる。
【０１１８】
（１０）駆動電極ドライバ１５からのスイッチ制御信号ＳＩ０［２：０］は、動作を開始するためのスタートパルス信号ＳＩ０［０］と、動作を同期させるためのクロック信号ＳＩ０［１］と、表示動作とタッチ検出動作とを切り替えるためのスイッチ切替信号ＳＩ０［２］とを含み、これらのスイッチ制御信号ＳＩ０［２：０］により、駆動信号セレクタ部１６Ｕおよび駆動信号セレクタ部１６Ｌのそれぞれを制御することができる。
【０１１９】
（１１）複数の駆動電極ＣＯＭＬ、駆動電極ドライバ１５、駆動信号セレクタ部１６Ｕ、１６Ｌ、複数のタッチ検出電極ＴＤＬ、複数の画素電極２２、複数の画素信号線ＳＧＬ、複数の走査信号線ＧＣＬ、複数の液晶素子ＬＣ、ゲートドライバ１２、ソースドライバ１３、および、ソースセレクタ部１４を備えることで、タッチ検出機能付き表示装置１を構成することができる。
【０１２０】
（１２）複数の駆動電極ＣＯＭＬをＴＦＴ基板２１の長辺方向（縦方向）に延在して形成し、複数のタッチ検出電極ＴＤＬをＴＦＴ基板２１の短辺方向（横方向）に延在して形成し、複数の画素信号線ＳＧＬを長辺方向に延在して形成し、複数の走査信号線ＧＣＬを短辺方向に延在して形成することで、検出領域を縦に分割するような構造のタッチ検出機能付き表示装置１を構成することができる。
【０１２１】
（１３）駆動信号セレクタ部１６Ｕは、平面視において、複数の駆動電極ＣＯＭＬの延在方向の一端部に対向して設け、駆動信号セレクタ部１６Ｌは、複数の駆動電極ＣＯＭＬの延在方向の他端部に対向して設け、駆動信号セレクタ部１６Ｌを駆動電極ＣＯＭＬの他方端部と駆動電極ドライバ１５との間に配置することで、駆動電極ドライバ１５側のＶｃｏｍ電位／ＧＮＤ電位の駆動切替タイミングと同タイミングで、駆動信号セレクタ部１６Ｕ、１６ＬのスイッチＳ１Ｕ〜ＳｎＵ、Ｓ１Ｌ〜ＳｎＬをそれぞれ切替制御することができる。
【０１２２】
（１４）上記（１）〜（１３）により、駆動信号セレクタ部１６Ｕおよび駆動信号セレクタ部１６ＬのスイッチＳ１Ｕ〜ＳｎＵ、Ｓ１Ｌ〜ＳｎＬから駆動電極ドライバ１５内のスイッチＳ１、Ｓ２へ流れる電流成分を駆動電極ドライバ１５が考慮する必要がなくなる。この結果、駆動電極ドライバ１５側のスイッチＳ１、Ｓ２を小さく抑えつつ、ＧＮＤ電位への電位変動の収束性を改善することができる。
【０１２３】
（第２の実施の形態）
第２の実施の形態に係わるタッチ検出機能付き表示装置について、図１６〜図１７を用いて説明する。第２の実施の形態では、上述した第１の実施の形態と異なる点を主に説明する。図１６は、第２の実施の形態に係わる駆動電極およびその駆動回路の構成の一例を示す説明図である。図１７は、第２の実施の形態に係わる駆動電極の駆動回路の動作（タッチ検出期間（状態（２）））の一例を示すタイミングチャートである。
【０１２４】
上述した第１の実施の形態において、タッチ検出期間（状態（２））は、図１２〜図１４などを用いて説明したように、上側に配置された駆動信号セレクタ部１６Ｕでは、選択されたシフトレジスタＳＲ２Ｕに対応するスイッチＳ２Ｕからの出力信号ＳＯ２ＵはＧＮＤ電位となる。また、下側に配置された駆動信号セレクタ部１６Ｌでは、選択されたシフトレジスタＳＲ２Ｌに対応するスイッチＳ２Ｌからの出力信号ＳＯ２ＬはＧＮＤ電位となる。このようにして、タッチ検出電極として選択された駆動電極ＣＯＭＬ２には、ＧＮＤ電位が印加される。
【０１２５】
これに対して、第２の実施の形態においては、タッチ検出電極として選択された駆動電極ＣＯＭＬ２に、ＧＮＤ電位を基準として、ＧＮＤ電位と、このＧＮＤ電位よりも高電位のＴＰＨ電位との繰り返しによるパルス信号であるタッチ検出信号が入力される例である。
【０１２６】
図１６〜図１７において、ＣＯＭＬ２は、タッチ検出電極として選択された駆動電極である。ＳＲ２Ｌ、Ｓ２Ｌ、ＳＷ２Ｌ、ＡＮＤＬは、それぞれ、駆動電極ＣＯＭＬ２の下側に配置された駆動信号セレクタ部１６Ｌに設けられた、シフトレジスタ、スイッチ、スイッチ、論理積回路である。ＳＲ２Ｕ、Ｓ２Ｕ、ＳＷ２Ｕ、ＡＮＤＵは、それぞれ、駆動電極ＣＯＭＬ２の上側に配置された駆動信号セレクタ部１６Ｕに設けられた、シフトレジスタ、スイッチ、スイッチ、論理積回路である。
【０１２７】
ＳＩ２Ｌ、ＳＩ２Ｕは、それぞれ、シフトレジスタＳＲ２Ｌ、ＳＲ２ＵからスイッチＳ２Ｌ、Ｓ２Ｕおよび論理積回路ＡＮＤＬ、ＡＮＤＵへの入力信号を示す。ＳＯ２Ｌ、ＳＯ２Ｕは、それぞれ、スイッチＳＷ２Ｌ、ＳＷ２Ｕから駆動電極ＣＯＭＬ２への出力信号を示す。ＳＯ０Ｌ、ＳＯ０Ｕは、それぞれ、駆動電極ドライバ１５に繋がる配線を示す。ＳＷ２ＴＧＬは、タッチ検出制御信号を示す。このタッチ検出制御信号ＳＷ２ＴＧＬは、例えば駆動電極ドライバ１５に繋がる制御配線を通じて供給される。Ｈｉ−ｚは、ハイインピーダンス状態を示す。ＧＮＤは、ＧＮＤ電位を示す。ＴＰＨは、ＧＮＤ電位よりも高い電位を示す。Ｖｃｏｍは、ＧＮＤ電位に対する負の電位を示す。これらの、ＧＮＤ電位、ＴＰＨ電位およびＶｃｏｍ電位は、例えば駆動電極ドライバ１５に繋がる電源配線を通じて供給される。
【０１２８】
図１６（ａ）に示すように、駆動電極ＣＯＭＬ２の下側に配置された駆動信号セレクタ部１６Ｌは、シフトレジスタＳＲ２Ｌと、スイッチＳ２Ｌ（第２接続線スイッチ回路）と、スイッチＳＷ２Ｌ（タッチ検出用のスイッチ回路）と、論理積回路ＡＮＤＬとを有する。シフトレジスタＳＲ２ＬおよびスイッチＳ２Ｌは、上述した第１の実施の形態と同様である。スイッチＳＷ２Ｌおよび論理積回路ＡＮＤＬは、第２の実施の形態において追加されている。スイッチＳ２Ｌ、ＳＷ２Ｌは、それぞれ、共通端子ｃ、第１端子ａおよび第２端子ｂを有する切替スイッチである。
【０１２９】
スイッチＳ２Ｌは、第１端子ａがハイインピーダンス状態であり、第２端子ｂが配線ＳＯ０Ｌに接続され、共通端子ｃがスイッチＳＷ２Ｌの第１端子ａに接続されている。このスイッチＳ２Ｌは、シフトレジスタＳＲ２Ｌから供給される入力信号ＳＩ２Ｌにより切り替えられる。
【０１３０】
スイッチＳＷ２Ｌは、第１端子ａがスイッチＳ２Ｌの共通端子ｃに接続され、第２端子ｂがＴＰＨ電位に接続され、共通端子ｃが駆動電極ＣＯＭＬ２に接続されている。このスイッチＳＷ２Ｌは、シフトレジスタＳＲ２Ｌから供給される入力信号ＳＩ２Ｌと、タッチ検出制御信号ＳＷ２ＴＧＬとを論理積回路ＡＮＤＬで論理積演算処理した結果により切り替えられる。スイッチＳＷ２Ｌからの出力信号ＳＯ２Ｌは、駆動電極ＣＯＭＬ２に供給される。
【０１３１】
また、図１６（ｂ）に示すように、駆動電極ＣＯＭＬ２の上側に配置された駆動信号セレクタ部１６Ｕは、シフトレジスタＳＲ２Ｕと、スイッチＳ２Ｕ（第１接続線スイッチ回路）と、スイッチＳＷ２Ｕ（タッチ検出用のスイッチ回路）と、論理積回路ＡＮＤＵとを有する。シフトレジスタＳＲ２ＵおよびスイッチＳ２Ｕは、上述した第１の実施の形態と同様である。スイッチＳＷ２Ｕおよび論理積回路ＡＮＤＵは、第２の実施の形態において追加されている。スイッチＳ２Ｕ、ＳＷ２Ｕは、それぞれ、共通端子ｃ、第１端子ａおよび第２端子ｂを有する切替スイッチである。
【０１３２】
スイッチＳ２Ｕは、第１端子ａが配線ＳＯ０Ｕに接続され、第２端子ｂがＧＮＤ電位に接続され、共通端子ｃがスイッチＳＷ２Ｕの第１端子ａに接続されている。このスイッチＳ２Ｕは、シフトレジスタＳＲ２Ｕから供給される入力信号ＳＩ２Ｕにより切り替えられる。
【０１３３】
スイッチＳＷ２Ｕは、第１端子ａがスイッチＳ２Ｕの共通端子ｃに接続され、第２端子ｂがＴＰＨ電位（高電位配線）に接続され、共通端子ｃが駆動電極ＣＯＭＬ２に接続されている。このスイッチＳＷ２Ｕは、シフトレジスタＳＲ２Ｕから供給される入力信号ＳＩ２Ｕと、タッチ検出制御信号ＳＷ２ＴＧＬとを論理積回路ＡＮＤＵで論理積演算処理した結果により切り替えられる。スイッチＳＷ２Ｕからの出力信号ＳＯ２Ｕは、駆動電極ＣＯＭＬ２に供給される。
【０１３４】
タッチ検出期間（状態（２））は、図１７に示すように、タッチ検出対象となった駆動電極ＣＯＭＬ２に対応するシフトレジスタＳＲ２Ｕ、ＳＲ２Ｌから供給される入力信号ＳＩ２Ｕ、ＳＩ２Ｌは、それぞれ、ハイレベルとなる。また、タッチ検出制御信号ＳＷ２ＴＧＬとして、ハイレベルとロウレベルとの繰り返しによるパルス信号が供給される。
【０１３５】
このタッチ検出期間中は、スイッチＳＷ２Ｌ、ＳＷ２Ｕをそれぞれ繰り返してオン／オフさせる（例えば、オンで第１端子ａに切り替え、オフで第２端子ｂに切り替える）ことで、タッチ検出電極として選択された駆動電極ＣＯＭＬ２に、タッチ検出信号として出力信号ＳＯ２Ｌ、ＳＯ２Ｕが供給される。
【０１３６】
例えば、スイッチＳＷ２Ｌでは、入力信号ＳＩ２Ｌがハイレベルの時、スイッチＳ２Ｌの第２端子ｂの信号（配線ＳＯ０ＬがＧＮＤ電位）を選択し、かつ、タッチ検出制御信号ＳＷ２ＴＧＬによる切り替えでＴＰＨ電位を選択する。また、スイッチＳＷ２Ｕでは、入力信号ＳＩ２Ｕがハイレベルの時、スイッチＳ２Ｕの第２端子ｂの信号（ＧＮＤ電位）を選択し、かつ、タッチ検出制御信号ＳＷ２ＴＧＬによる切り替えでＴＰＨ電位を選択する。
【０１３７】
これにより、タッチ検出電極として選択された駆動電極ＣＯＭＬ２には、スイッチＳＷ２Ｌ、ＳＷ２Ｕからの出力信号ＳＯ２Ｌ、ＳＯ２Ｕとして、それぞれ、ＧＮＤ電位とＴＰＨ電位との繰り返しによるパルス信号であるタッチ検出信号が供給される。
【０１３８】
また、タッチ検出電極として選択されない駆動電極ＣＯＭＬ１、ＣＯＭＬ３〜ＣＯＭＬｎには、それぞれ、ハイインピーダンス状態の出力信号ＳＯ１Ｌ、ＳＯ３Ｌ〜ＳＯｎＬが供給され、また、Ｖｃｏｍ電位の出力信号ＳＯ１Ｕ、ＳＯ３Ｕ〜ＳＯｎＵが供給される。
【０１３９】
第２の実施の形態において、図１７に示すＶｃｏｍ電位は、上述したように、タッチ検出期間に、タッチ検出電極として選択されない駆動電極に供給する電位を意味する。また、このＶｃｏｍ電位は、表示期間に、駆動電極に供給する表示駆動信号としての電位でもある。なお、図６および図７に示した駆動信号Ｖｃｏｍは、図１７に示す、ＧＮＤ電位とＴＰＨ電位との繰り返しによるパルス信号であるタッチ検出信号に対応する。
【０１４０】
以上説明した第２の実施の形態に係わるタッチ検出機能付き表示装置においても、上述した第１の実施の形態と同様の効果を得ることができる。
【０１４１】
本発明の思想の範疇において、当業者であれば、各種の変形例および修正例に想到し得るものであり、それら変形例および修正例についても本発明の範囲に属するものと了解される。例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【０１４２】
また、本実施の形態において述べた態様によりもたらされる他の作用効果について本明細書の記載から明らかなもの、または当業者において適宜想到し得るものについては、当然に本発明によりもたらされるものと解される。
【符号の説明】
【０１４３】
１ タッチ検出機能付き表示装置
２ 画素基板
３ 対向基板
６ 液晶層
１０  タッチ検出機能付き表示デバイス
１１  制御部
１２（１２Ｌ、１２Ｒ）  ゲートドライバ
１３  ソースドライバ
１４  ソースセレクタ部
１５  駆動電極ドライバ
１６（１６Ｕ、１６Ｌ）  駆動信号セレクタ部
１９  ＣＯＧ
２０  液晶表示デバイス
２１  ＴＦＴ基板
２２  画素電極
３０  タッチ検出デバイス
ＣＯＭＬ（ＣＯＭＬ１〜ＣＯＭＬｎ）  駆動電極
ＧＣＬ  走査信号線
ＧＮＤ  接地配線
ＬＣ  液晶素子
Ｓ（Ｓ１、Ｓ２、Ｓ１Ｕ〜ＳｎＵ、Ｓ１Ｌ〜ＳｎＬ）  スイッチ
ＳＧＬ  画素信号線
ＳＩ０（ＳＩ０［２：１］）  スイッチ制御信号
ＳＲ（ＳＲ１Ｕ〜ＳＲｎＵ、ＳＲ１Ｌ〜ＳＲｎＬ）  シフトレジスタ
ＴＤＬ（ＴＤＬ１〜ＴＤＬｍ）  タッチ検出電極
ＶＣＯＭ  駆動信号配線
ＶＣＯＭ／ＧＮＤ  駆動切替配線
【図１】
2016197400.tif 000003
【図２】
2016197400.tif 000004
【図３】
2016197400.tif 000005
【図４】
2016197400.tif 000006
【図５】
2016197400.tif 000007
【図６】
2016197400.tif 000008
【図７】
2016197400.tif 000009
【図８】
2016197400.tif 000010
【図９】
2016197400.tif 000011
【図１０】
2016197400.tif 000012
【図１１】
2016197400.tif 000013
【図１２】
2016197400.tif 000014
【図１３】
2016197400.tif 000015
【図１４】
2016197400.tif 000016
【図１５】
2016197400.tif 000017
【図１６】
2016197400.tif 000018
【図１７】
2016197400.tif 000019